(57)【要約】    【課題】  壁や天井に設置される感知器の設置及び設置角度の調節を容易にする感知器設置装置を提供する。    【解決手段】  本発明の感知器設置装置は、壁／天井付着部材３１と、壁／天井付着部材３１との間に回転係止部４１を備えて回転調節できるように設置される設置角度調節部材３３と、設置角度調節部材３３との間に旋回係止部４３及び旋回軸を通すスロット４５を備えて旋回調節できるように設置される感知器設置部材３５と、壁／天井付着部材３１、設置角度調節部材３３、及び感知器設置部材３５を貫通して一体に締結し、弾性部材４７で支持される固定軸３７と、固定軸３７に結合された作動軸５１を軸方向に前進または後進させて弾性部材４７を変形させ、壁／天井付着部材３１、設置角度調節部材３３、及び感知器設置部材３５の締結構造を堅固にまたは緩くする締結調整手段（Ａ）とを備える。【選択図】      図２
2005209157.tif 000002
【特許請求の範囲】
【請求項１】
壁／天井付着部材と、
前記壁／天井付着部材との間に回転係止部を備えて回転調節できるように設置される設置角度調節部材と、
前記設置角度調節部材との間に旋回係止部及び旋回スロットを備えて旋回調節できるように設置される感知器設置部材と、
前記壁／天井付着部材、前記設置角度調節部材、及び前記感知器設置部材を貫通して一体に締結し、弾性部材で支持される固定軸と、  
前記固定軸に結合された作動軸を軸方向に前進または後進させて前記弾性部材を変形させ、前記壁／天井付着部材、前記設置角度調節部材、及び前記感知器設置部材の締結構造を堅固にまたは緩くする締結調整手段とを備える感知器設置装置。
【請求項２】
前記締結調整手段は、
前記固定軸が前記壁／天井付着部材、前記設置角度調節部材、及び前記感知器設置部材の組立を堅固にする方向に弾性力を加えるように、前記弾性部材を介在して回転作動し、傾斜面を有する突起を形成している前記作動軸と、
前記作動軸を操作するように、前記設置角度調節部材の外部に突出したレバーと、
前記レバーの操作による前記作動軸の回転作動に応じて前記作動軸を軸方向に前進または後進させて前記固定軸で締結される前記壁／天井付着部材、前記設置角度調節部材、及び前記感知器設置部材の締結状態を堅固にまたは緩くし、前記作動軸の突起に対向して傾斜面を有する凹溝を形成しているカム部材とを備える請求項１記載の感知器設置装置。
【請求項３】
前記感知器設置部材は、感知器と結合される結合フックを備える請求項１記載の感知器設置装置。
【請求項４】
壁／天井付着部材と、
前記壁／天井付着部材との間に回転係止部を備えて回転調節できるように設置される設置角度調節部材と、
前記設置角度調節部材との間に旋回係止部及び旋回スロットを備えて旋回調節できるように設置される感知器設置部材と、
前記壁／天井付着部材、前記設置角度調節部材、及び前記感知器設置部材を貫通して一体に締結し、弾性部材で支持される固定軸と、
前記固定軸が前記壁／天井付着部材、前記設置角度調節部材、及び前記感知器設置部材の組立を堅固にする方向に弾性力を加えるように、前記弾性部材を介在して回転作動し、傾斜面を有する突起を形成している作動軸と、
前記作動軸を操作するように、前記設置角度調節部材の外部に突出したレバーと、
前記レバーの操作による前記作動軸の回転作動に応じて前記作動軸を軸方向に前進または後進させて前記固定軸で締結される前記壁／天井付着部材、前記設置角度調節部材、及び前記感知器設置部材の締結状態を堅固にまたは緩くし、前記作動軸の突起に対向して傾斜面を有する凹溝を形成しているカム部材とを備える感知器設置装置。
【発明の詳細な説明】
【技術分野】
【０００１】
本発明は感知器設置装置に関し、より詳しくは、壁や天井に設置される感知器の設置及び設置角度の調節を容易にする感知器設置装置に関するものである。
【背景技術】
【０００２】
一般的に、保安装備に用いられる熱線感知器などは現場の壁や天井に設置されて、警備が開始されると無断侵入者を感知する。この感知器は、無断侵入者を感知するように、また、その設置が容易であるように、ブラケットや特別な設置装置によって壁や天井に設置される。
【０００３】
従来の感知器設置装置は、図１の左半分に示されているように、壁や天井に付着される壁／天井付着部材１、設置角度調節部材３、及び感知器設置部材５を備え、この壁／天井付着部材１と感知器設置部材５との間に設置角度調節部材３を介在させて、あたかもユニバーサルジョイントのように、感知器設置部材５を装着する構造からなる。
【０００４】
この壁／天井付着部材１と設置角度調節部材３との間には回転係止部７が備えられ、設置角度調節部材３と感知器設置部材５との間には旋回係止部９が備えられる。
【０００５】
この回転係止部７及び旋回係止部９を備えて結合される壁／天井付着部材１、設置角度調節部材３、及び感知器設置部材５は、弾性部材１１に支持されるリテーナー１３を貫通する固定ネジ１５が弾性部材１１及びナット１７によって締結されるので、感知器１９（図１右半分）の設置角度を調節して維持する。ここで、弾性部材１１はゴム・ブッシング（套管）のようなリング状部材である。
【０００６】
つまり、設置角度が調節される前は、固定ネジ１５とナット１７との締結状態が維持される。したがって、壁／天井付着部材１、設置角度調節部材３、及び感知器設置部材５は相互堅固に組立てられた状態を維持する。
【０００７】
設置角度の調節時には、固定ネジ１５とナット１７との締結状態を緩くする。したがって、壁／天井付着部材１、設置角度調節部材３、及び感知器設置部材５は相互に緩く組立てられた状態を維持する。
【０００８】
この時、回転係止部７及び旋回係止部９の相互噛み合わせ作用の力が緩くなる。したがって、設置角度調節部材３の回転（矢印ａ）作動及び感知器設置部材５の旋回（矢印ｂ）作動が可能になる。
【０００９】
設置角度が調節された後は、壁／天井付着部材１、設置角度調節部材３、及び感知器設置部材５は弾性部材１１の弾性力により、上述のように回転（ａ）及び旋回（ｂ）が調節された角度を維持する。
【００１０】
この時、回転係止部７及び旋回係止部９は、壁／天井付着部材１で回転（ａ）及び旋回（ｂ）作動によって調節された状態で、設置角度調節部材３及び感知器設置部材５を固定させる。
【００１１】
この状態で固定ネジ１５とナット１７とを締結することにより、壁／天井付着部材１、設置角度調節部材３、及び感知器設置部材５は堅固な組立状態を維持する。
【００１２】
この状態で感知器１９の底部（斜線部）に嵌められた締結ネジ２１を用いて、感知器１９を感知器設置部材５に締結すれば、感知器１９が調節された角度に設置完了する。
【発明の開示】
【発明が解決しようとする課題】
【００１３】
しかし、このような感知器設置装置は、壁／天井付着部材１、設置角度調節部材３、及び感知器設置部材５を締結する固定ネジ１５を感知器１９で隠蔽し、この感知器９を感知器設置部材５に設置する際に別途の締結ネジ２１を用いるため、感知器１９が設置されていない状態で予め設置角度を調節し、その後で感知器１９を設置するため、感知器１９の設置及び設置角度調節が複雑になる問題点がある。
【００１４】
本発明は上述したような問題点を解決するためのものであって、本発明の目的は、感知器の設置及び設置角度調節を容易にする感知器設置装置を提供することにある。
【課題を解決するための手段】
【００１５】
本発明の感知器設置装置は、壁／天井付着部材と、前記壁／天井付着部材との間に回転係止部を備えて回転調節できるように設置される設置角度調節部材と、前記設置角度調節部材との間に旋回係止部及び旋回スロットを備えて旋回調節できるように設置される感知器設置部材と、前記壁／天井付着部材、前記設置角度調節部材、及び前記感知器設置部材を貫通して一体に締結し、弾性部材で支持される固定軸と、前記固定軸に結合された作動軸を軸方向に前進または後進させて前記弾性部材を変形させ、前記壁／天井付着部材、前記設置角度調節部材、及び前記感知器設置部材の締結構造を堅固にまたは緩くする締結調整手段とを備える。
【００１６】
前記締結調整手段は、前記固定軸が前記壁／天井付着部材、前記設置角度調節部材、及び前記感知器設置部材の組立を堅固にする方向に弾性力を加えるように、前記弾性部材を介在して回転作動し、傾斜面を有する突起を形成している前記作動軸と、前記作動軸を操作するように、前記設置角度調節部材の外部に突出したレバーと、前記レバーの操作による前記作動軸の回転作動に応じて前記作動軸を軸方向に前進または後進させて固定軸で締結される前記壁／天井付着部材、前記設置角度調節部材、及び前記感知器設置部材の締結状態を堅固にまたは緩くし、前記作動軸の突起に対向して傾斜面を有する凹溝を形成しているカム部材とを備えるのが好ましい。
【００１７】
前記感知器設置部材は、感知器と結合される結合フックを備えるのが好ましい。
【００１８】
また、本発明の感知器設置装置は、壁／天井付着部材と、前記壁／天井付着部材との間に回転係止部を備えて回転調節できるように設置される設置角度調節部材と、前記設置角度調節部材との間に旋回係止部及び旋回スロットを備えて旋回調節できるように設置される感知器設置部材と、前記壁／天井付着部材、前記設置角度調節部材、及び前記感知器設置部材を貫通して一体に締結し、弾性部材で支持される固定軸と、前記固定軸が前記壁／天井付着部材、前記設置角度調節部材、及び前記感知器設置部材の組立を堅固にする方向に弾性力を加えるように、弾性部材を介在して回転作動し、傾斜面を有する突起を形成している作動軸と、前記作動軸を操作するように、前記設置角度調節部材の外部に突出したレバーと、前記レバーの操作による前記作動軸の回転作動に応じて前記作動軸を軸方向に前進または後進させて前記固定軸で締結される前記壁／天井付着部材、前記設置角度調節部材、及び前記感知器設置部材の締結状態を堅固にまたは緩くし、前記作動軸の突起に対向して傾斜面を有する凹溝を形成しているカム部材とを備える。
【発明の効果】
【００１９】
本発明によれば、感知器の設置及び設置角度調節を容易にする感知器設置装置を提供することができる。
【発明を実施するための最良の形態】
【００２０】
本発明の長所は、以下の好ましい実施例を添付した図面に基づいて詳細に説明することによってより明確になる。
【００２１】
図２は、本発明による感知器設置装置の断面図である。この図面を参照すれば、感知器設置装置は、壁や天井に感知器を設置するように壁／天井付着部材３１、設置角度調節部材３３、感知器設置部材３５、固定軸３７、及び締結調整手段（Ａ）を含む構成であって、感知器３９の設置及びその設置角度の調節を容易にする。
【００２２】
図２左端の壁／天井付着部材３１はこの設置装置の根幹となる部分であって、感知器３９が設置される現場の壁や天井などに直接付着され易い構造からなる。
【００２３】
この壁／天井付着部材３１には、設置角度調節部材３３が回転調節できるように設置される。この設置角度調節部材３３は、壁／天井付着部材３１との間に回転係止部４１を介して設置される。この回転係止部４１は、設置角度調節部材３３と壁／天井付着部材３１の対向面に、相互に噛み合う凹凸及び／又は鋸形状に形成できる。
【００２４】
この回転係止部４１は、設置角度調節部材３３と壁／天井付着部材３１との結合力が強い場合は設置角度調節部材３３の回転（ａ）を不可能にし、前記結合力が弱い場合は設置角度調節部材３３を壁／天井付着部材３１の一方（図２では右）の側で回転（ａ）させることができるようにする。
【００２５】
この設置角度調節部材３３を介して、感知器設置部材３５が壁／天井付着部材３１の一方（図２では右）の側傍に設置される。この感知器設置部材３５は設置角度調節部材３３との間に旋回係止部４３を介在させ、感知器設置部材３５の底面には、Ｔ字型固定軸３７の足を貫通させる旋回スロット４５（図２で上下方向）が明けられていて、旋回（ｂ）可能に設置される。
【００２６】
この旋回係止部４３は、設置角度調節部材３３と感知器設置部材３５との結合力が堅（強）い場合は感知器設置部材３５の旋回（ｂ）を不可能にし、前記結合力が緩（弱）い場合は、感知器設置部材３５を設置角度調節部材３３の一側（図２では右）で旋回（ｂ）できるようにする。
【００２７】
従って、壁／天井付着部材３１の一側で設置角度調節部材３３が回転（ａ）可能であり、この設置角度調節部材３３の一側で感知器設置部材３５が旋回（ｂ）可能である。このような構造のために、壁／天井付着部材３１、設置角度調節部材３３、及び感知器設置部材３５は、Ｔ字型固定軸３７の頭（左端）と、足先（右端）を止める軸固定ネジ４９に挟まれ、更に、固定軸３７の頭を取り巻く中空作動軸５１とカム部材５５で隙間を詰められて、これらが一体に締結される。
【００２８】
このような状態で、弾性部材４７つまりコイル・スプリングは、壁／天井付着部材３１において感知器３９とは反対側に介在する固定軸３７を前進（ｃ）させる方向に弾性力を加える。したがって、固定軸３７の感知器設置部材３５側に締結される軸固定ネジ４９によって締結される感知器設置部材３５及び設置角度調節部材３３は、前記弾性力によって壁／天井付着部材３１に堅固に設置される。
【００２９】
この固定軸３７を軸方向に前進（矢印ｃ）または後進（矢印ｄ）させて壁／天井付着部材３１、設置角度調節部材３３、及び感知器設置部材３５の締結を堅固にしたり、角度調節の際に緩くするように締結調整手段（Ａ）が備えられる。
【００３０】
この締結調整手段（Ａ）は、作動軸５１、レバー５３、及びカム部材５５を含む。
【００３１】
この作動軸５１端面と固定軸３７頭部との間には弾性部材４７が介在される。したがって、固定軸３７が壁／天井付着部材３１、設置角度調節部材３３、及び感知器設置部材３５を堅固に組立てるように、弾性部材４７は作動軸５１に支持されながら固定軸３７頭部内側に弾性力を加える。また、この中空作動軸５１は、その内部に固定軸３７が配置される中空軸として形成され、壁／天井付着部材３１及び設置角度調節部材３３を貫通して配置される。
【００３２】
この中空作動軸５１は図３及び図４に示すように、レバー５３の操作によって時計方向または反時計方向に回転作動しながら前進（ｃ）または後進（ｄ）作動するように、傾斜面を有する突起５７を備える。また、この中空作動軸５１が前進（ｃ）または後進（ｄ）作動する場合には、レバー５３が設置角度調節部材３３上で本来の位置を維持できるように、レバー５３取付け部をスパイラル状スプールライン（ｓ）構造にして結合するのが好ましい。
【００３３】
このレバー５３は、中空作動軸５１を外部から回転操作できるように、前記のように中空作動軸５１のスパイラル状スプールライン（ｓ）構造に結合して、設置角度調節部材３３の外部に突出させる。
【００３４】
中空作動軸５１の突起５７は、壁／天井付着部材３１に備えられるカム部材５５の傾斜面を有する凹溝５９と突き合わせ作用をする。この凹溝５９は、中空作動軸５１の突起５７の対向側に備えられる。この凹溝５９を備えるカム部材５５はその内部に作動軸５１が貫通設置され、外部に壁／天井付着部材３１に固定装着されるのが好ましい。
【００３５】
図３に示されているように、レバー５３を時計方向に操作すると、中空作動軸５１の突起５７は時計方向に回転しながら凹溝５９の傾斜面に沿って上がり、凹溝５９より分離される。したがって、中空作動軸５１は前進（ｃ）しながら弾性部材４７を圧縮させる。この圧縮作用で、壁／天井付着部材３１、設置角度調節部材３３、及び感知器設置部材３５は固定軸３７を介して堅い締結状態を維持する。
【００３６】
この状態で、回転係止部４１は壁／天井付着部材３１において設置角度調節部材３３を固定させ、旋回係止部４３は設置角度調節部材３３において感知器設置部材３５を固定させる。
【００３７】
図４に示されているように、レバー５３を反時計方向に操作すると、中空作動軸５１の突起５７が反時計方向に回転しながら凹溝５９の傾斜面に沿って降り、凹溝５９に結合される。したがって、作動軸５１は後進（ｄ）しながら弾性部材４７を膨脹させる。この膨脹作用で、壁／天井付着部材３１、設置角度調節部材３３、及び感知器設置部材３５は固定軸３７を介して緩い締結状態を維持する。
【００３８】
この状態で、回転係止部４１は壁／天井付着部材３１において設置角度調節部材３３を回転（ａ）可能にし、旋回係止部４３は設置角度調節部材３３において感知器設置部材３５を旋回（ｂ）可能にする。この状態で感知器３９の設置角度は自由自在に便利に調節されるので、感知器３９の設置角度の調節が便利になる。
【００３９】
一方、感知器設置部材３５は結合フック６１をさらに備えている（図２）。この結合フック６１は、感知器設置部材３５と感知器３９とをワンタッチで結合できるようにして、感知器３９の設置をさらに容易にする。
【００４０】
このように本発明は、壁／天井付着部材３１、設置角度調節部材３３、及び感知器設置部材３５を、弾性部材４７を介在させた固定軸３７と中空作動軸５１で結合させ、この作動軸５１にレバー５３を備えて、レバー５３の操作でカム部材５５と突き合わせ作用をして作動軸５１を前進または後進させ、壁／天井付着部材３１、設置角度調節部材３３、及び感知器設置部材３５の締結を堅固にまたは緩くすることによって感知器設置角度の調節を容易にし、共に感知器設置部材３５にフック６１を備えて、感知器３９の設置をさらに便利にする。
【００４１】
上記では本発明の好ましい実施例について説明したが、本発明はこれに限定されることではなく、特許請求の範囲と発明の詳細な説明及び添付した図面の範囲内で多様に変形して実施するのが可能であり、これもまた本発明の範囲に属するのは当然のことである。
【図面の簡単な説明】
【００４２】
【図１】従来の技術による感知器設置装置の断面図である。
【図２】本発明による感知器設置装置の断面図である。
【図３】本発明による感知器設置装置において、レバーを時計方向に操作する場合に作動軸が前進する作動を示した状態図である。
【図４】本発明による感知器設置装置において、レバーを反時計方向に操作する場合に作動軸が後進する作動を示した状態図である。
【符号の説明】
【００４３】
１，３１  壁／天井付着部材
３，３３  設置角度調節部材
５，３５  感知器設置部材
７，４１  回転係止部
９，４３  旋回係止部
１１，４７  弾性部材
１３  リテーナー
１５  固定ネジ
１７  ナット
１９，３９  感知器
２１  締結ネジ
３７  固定軸
４９  軸固定ネジ
５１  作動軸
５３  レバー
５５  カム部材
５７  突起
５９  凹溝
【図１】
2005209157.tif 000003
【図２】
2005209157.tif 000004
【図３】
2005209157.tif 000005
【図４】
2005209157.tif 000006